【手続補正書】
【提出日】平成27年6月18日(2015.6.18)
【手続補正１】
【補正対象書類名】明細書
【補正対象項目名】００６６
【補正方法】変更
【補正の内容】
【００６６】
方法に係る発明は、列挙されるステップ群が、これらのステップが列挙されるアルファベット順に、または順番に行なわれることを必要としていると解釈されるべきではない。
また、本発明は以下に記載する態様を含む。
（態様１）
複合材積層板を製造する方法であって：
（ａ）プライを設計するための設計変数値を選択するステップと；
（ｂ）前記プライを表わす流線関数を、前記選択設計変数値に従って計算するステップと；
（ｃ）前記プライの繊維角度分布を、前記プライを表わす前記流線関数に基づいて計算するステップと；
（ｄ）前記プライの厚さ方向の積層数を、前記プライを表わす前記流線関数に基づいて計算するステップと；
（ｅ）前記計算ステップ群の結果によりシミュレートされる前記プライと、そして付加的なプライ群と、を含む積層板のシミュレート構造体を分析するステップと；
（ｆ）前記シミュレート構造体の１つ以上のメリット指数を計算するステップと；
（ｇ）ステップ（ａ）〜（ｆ）を、前記メリット指数群のうちの１つ以上のメリット指数の最適値が得られるまで繰り返すステップと；
（ｈ）マシンを制御して、前記メリット指数群のうちの１つ以上のメリット指数の前記最適値を得るために適用した前記流線関数により定義される経路に沿ってコースを設定するコンピュータプログラムを作成するステップと；
（ｉ）複合材積層板上でのコースを前記コンピュータプログラムに従ったプロセスで自動的に設定するステップと、
を含む、方法。
（態様２）
ステップ（ａ）では、下限値を上回る半径の配向操作繊維を有するコースを指定する設計変数値を選択する、態様１に記載の方法。
（態様３）
ステップ（ａ）では、コースオーバーラップが上限値を下回ることに起因する厚さ方向の積層数を有するコースを指定する設計変数値を選択する、態様１に記載の方法。
（態様４）
ステップ（ｅ）では、有限要素解析を行なう、態様１に記載の方法。
（態様５）
ステップ（ｅ）では、ひずみ場の解を、単位荷重を加えた状態における前記シミュレート構造体に関して求め、そして該ひずみ場を処理して積層板強度を単位荷重結果に基づいて計算する、態様１に記載の方法。
（態様６）
ステップ（ｂ）〜（ｆ）は、並列動作する複数のプロセッサの各プロセッサにより行なわれる、態様１に記載の方法。
（態様７）
前記プライは、切欠き部を有するように設計される、態様１に記載の方法。
（態様８）
更に、コンピュータ数値制御トウプレースメントマシンのコントローラを命令群でプログラムし、これらの命令によって、前記トウプレースメントマシンが、前記メリット指数群のうちの１つ以上のメリット指数の前記最適値を得るために適用した前記流線関数により定義される経路に沿ってコースを設定するようになるステップを含む、態様１に記載の方法。
（態様９）
更に、コンピュータ可読媒体に、特定プライの製造計画を表わすデータを格納するステップを含み、前記製造計画は、前記メリット指数群のうちの１つ以上のメリット指数の前記最適値を得るために適用した前記プライを表わす前記流線関数を含む、態様１に記載の方法。
（態様１０）
少なくとも１つの配向操作繊維プライを有する複合材積層板を製造するシステムであって、該システムはプロセッサを備え、該プロセッサをプログラムして：
（ａ）配向操作繊維プライを設計するための設計変数値を選択する操作；
（ｂ）前記プライを表わす流線関数を、前記選択設計変数値に従って計算する操作；
（ｃ）前記プライの繊維角度分布を、前記プライを表わす前記流線関数に基づいて計算する操作；
（ｄ）前記プライの厚さ方向の積層数を、前記プライを表わす前記流線関数に基づいて計算する操作；
（ｅ）前記計算ステップ群の結果によりシミュレートされる前記プライと、そして付加的なプライ群と、を含む積層板のシミュレート構造体を解析する操作；
（ｆ）前記シミュレート構造体の１つ以上のメリット指数を計算する操作；
（ｇ）ステップ（ａ）〜（ｆ）を、前記メリット指数群のうちの１つ以上のメリット指数の最適値が得られるまで繰り返す操作；
（ｈ）マシンを制御してコースを、前記メリット指数群のうちの１つ以上のメリット指数の前記最適値を得るために適用した前記流線関数により定義される経路に沿って設定するコンピュータプログラムを作成する操作、
を実行する、システム。
（態様１１）
各流線関数は、それぞれの配向操作繊維プライ設計のそれぞれのコース経路を表わす複数の等高線を含む、態様１０に記載のシステム。
【手続補正２】
【補正対象書類名】特許請求の範囲
【補正対象項目名】全文
【補正方法】変更
【補正の内容】
【特許請求の範囲】
【請求項１】
流線関数により定義される配向操作繊維プライを含む複合材積層板を設計する方法であって：
（ａ）第１プライの流線関数を定義する設計変数値として、前記第１プライの流線関数のパラメータの値を選択するステップと；
（ｂ）前記第１プライと構造的にバランスする第２プライの流線関数を計算するステップであって、前記第２プライの前記流線関数が、ステップ（ａ）において選択された前記設計変数値の関数として計算される、ステップと；
（ｃ）前記第１及び第２プライの各々について、それぞれの繊維角度分布を、前記第１及び第２プライのそれぞれの前記流線関数に基づいて計算するステップと；
（ｄ）前記第１及び第２プライの各々の積層される厚さを、前記第１及び第２プライのそれぞれの前記流線関数に基づいて計算するステップと；
（ｅ）前記ステップ（ａ）〜（ｄ）の結果によりシミュレートされる少なくとも前記第１及び第２プライを含む前記積層板のシミュレート構造体を分析するステップと；
（ｆ）前記シミュレート構造体の１つ以上のメリット指数を計算するステップと；
（ｇ）ステップ（ａ）〜（ｆ）を、前記１つ以上のメリット指数の最適値が得られるまで繰り返すステップと；を含み、
ステップ（ｂ）~（ｇ）がプロセッサによって実行される、
方法。
【請求項２】
ステップ（ａ）において選択された設計変数値は、下限値を上回る半径の配向操作繊維を有するコースを指定する、請求項１に記載の方法。
【請求項３】
ステップ（ａ）において選択された設計変数値は、上限値を下回るコースのオーバラップに起因して積層される厚さを有するコースを指定する、請求項１に記載の方法。
【請求項４】
ステップ（ｅ）は、有限要素解析を行なうことを含む、請求項１に記載の方法。
【請求項５】
ステップ（ｅ）は、単位荷重を加えた状態における前記シミュレート構造体に関するひずみ場を求め、前記ひずみ場を処理して積層板強度を単位荷重結果に基づいて計算することを含む、請求項１に記載の方法。
【請求項６】
ステップ（ｂ）〜（ｇ）は、並列動作する複数のプロセッサの各プロセッサにより行なわれる、請求項１に記載の方法。
【請求項７】
前記第１及び第２プライの各々は、それぞれ切欠き部を有するように設計される、請求項１に記載の方法。
【請求項８】
更に、コンピュータ数値制御トウプレースメントマシンのコントローラを命令群でプログラムし、これらの命令によって、前記トウプレースメントマシンが、前記１つ以上のメリット指数の前記最適値が得られた前記第１プライの前記流線関数により定義される経路に沿ってプライのトウを敷設するようになるステップを含む、請求項１に記載の方法。
【請求項９】
更に、コンピュータ可読媒体に、特定プライの製造計画を表わすデータを格納するステップを含み、前記製造計画は、前記１つ以上のメリット指数の前記最適値が得られた前記第１プライの前記流線関数を含む、請求項１に記載の方法。
【請求項１０】
少なくとも１つの配向操作繊維プライを有する複合材積層板を設計するシステムであって、該システムは、以下の操作
（ａ）前記プライの流線関数を定義する設計変数値として、前記プライの流線関数のパラメータの値を選択する操作；
（ｂ）前記プライの繊維角度分布を、前記プライの前記流線関数に基づいて計算する操作；
（ｃ）前記プライの積層される厚さを、前記プライの前記流線関数に基づいて計算する操作；
（ｄ）前記操作（ｂ）〜（ｃ）の結果によりシミュレートされる前記プライを少なくとも含む積層板のシミュレート構造体を解析する操作；
（ｅ）前記シミュレート構造体の１つ以上のメリット指数を計算する操作；
（ｆ）ステップ（ａ）〜（ｅ）を、前記１つ以上のメリット指数の最適値が得られるまで繰り返す操作； 
を実行するようプログラムされた１つ以上のプロセッサを備える、
システム。
【請求項１１】
各流線関数は、それぞれの配向操作繊維プライ設計のそれぞれのコース経路を表わす複数の等高線を含む、請求項１０に記載のシステム。